【手続補正書】
【提出日】平成15年6月30日(2003.6.30)
【手続補正１】
【補正対象書類名】明細書
【補正対象項目名】全文
【補正方法】変更
【補正の内容】
【発明の名称】遊技機
【特許請求の範囲】
【請求項１】制御装置を複数に分けて構成するとともに、これらの制御装置に電源を供給する電源供給装置を制御装置とは別個に構成し、
上記電源供給装置は、取付ベースに配設され、該取付ベースに上記複数の制御装置のうち１の制御装置を、該１の制御装置の電源入力部と上記電源供給装置の出力部とが向かい合う状態で配置した遊技機において、
上記取付ベースには、
上記１の制御装置を当該取付ベースの表面から浮上させた状態で取り付ける制御装置浮上取付部を設け、
該制御装置浮上取付部に上記１の制御装置を取り付けた状態で、上記１の制御装置と取付ベースとの間に、取付ベース上以外に取り付けた他の制御装置の電源入力部と電源供給装置の出力部との間を接続する配線ケーブルが通過し得る配線通過空間を形成し、
該配線通過空間内を通過する配線ケーブルを係止する配線係止部材を、上記１の制御装置により覆い隠される取付ベースの表面に設け、
上記配線係止部材は、上記取付ベースの表面に起立した基端部分から取付ベースの表面に沿わせた状態で途中部分を延出し、先端部分を取付ベースの表面側に近づけた形状に成形した弾性片から構成し、
上記制御装置浮上取付部は、上記取付ベースの表面からの高さを、上記配線係止部材の途中部分の取付ベース表面からの高さよりも低く設定し、
上記１の制御装置は、当該１の制御装置の一部を上記制御装置浮上取付部の先端に当接すると、当該１の制御装置の一部が配線係止部材の途中部分に当接し、上記配線係止部材の先端の開口寸法が減少するように構成したことを特徴とする遊技機。
【請求項２】上記１の制御装置は、上蓋部材と底蓋部材とを備え、該底蓋部材の外面に当該１の制御装置の一部としての導電性板材を添設したことを特徴とする請求項１に記載の遊技機。
【発明の詳細な説明】
【０００１】
【発明の属する技術分野】
本発明は、パチンコ機などの遊技機に関し、特に電源供給装置から複数の制御装置に電力を供給する遊技機に関する。
【０００２】
【従来の技術】
近年、検査の容易化、各制御装置の開発の合理化、リサイクルの容易化、遊技制御装置の負担軽減などを図るために、遊技領域内の役物等を制御する遊技制御装置、賞球排出装置を制御する球排出制御装置、効果音など演出を行う演出制御装置、遊技球の発射を制御する発射制御装置、外部からの交流電源を各制御装置に適した直流電源に変換する電源供給装置などを別個独立した状態でユニット化して取り付け、遊技制御装置と球排出制御装置と間や各制御装置と電源供給装置との間などの電気的な接続には、端部にコネクタを設けた配線ケーブルを使用し、組立作業の合理化を図っている。
【０００３】
また、遊技機メーカーから遊技店に遊技機を搬送する間に、遊技制御装置に対して不正な改造がなされたり、不正な遊技制御装置と交換されるなどの不正行為を防止するために、遊技制御装置を遊技機本体から取り外した状態で遊技店に搬送し、一方、遊技制御装置は遊技機本体とは別の輸送車で厳重に管理しながら搬送し、遊技店に搬入した後で遊技制御装置を遊技機本体に取り付けることが考えられている。
【０００４】
【発明が解決しようとする課題】
しかしながら、制御装置を機能別に複数に分けて構成すると、これら複数の制御装置を遊技機の裏面側に配置しなけらればならないので、これら制御装置を接続する配線ケーブルや電源供給装置から各制御装置に電源を供給する配線ケーブルなど多数の配線ケーブルが縦横に錯綜することになる。このため、体裁が悪いばかりでなく、これらの配線ケーブルを接続する配線接続作業が面倒になり、配線作業に長時間を必要とする。
特に、遊技制御装置を別送した場合には、遊技店内で配線作業を行わなければならず、遊技機本体に既に取り付けられている電源供給装置から各制御装置に接続されている配線ケーブルが邪魔になり、これらの配線ケーブルが遊技制御装置を取り付ける際に、遊技制御装置と遊技機側との間に挟まったりして遊技制御装置を確実に取り付けられないこともある。
【０００５】
本発明は上記した事情に鑑み提案されたもので、その目的は、制御装置を複数備えても配線処理の容易化、簡素化を図ることができる遊技機を提供しようとするものである。
【０００６】
【課題を解決するための手段】
本発明は上記目的を達成するために提案されたもので、請求項１に記載のものは、制御装置を複数に分けて構成するとともに、これらの制御装置に電源を供給する電源供給装置を制御装置とは別個に構成し、
上記電源供給装置は、取付ベースに配設され、該取付ベースに上記複数の制御装置のうち１の制御装置を、該１の制御装置の電源入力部と上記電源供給装置の出力部とが向かい合う状態で配置した遊技機において、
上記取付ベースには、
上記１の制御装置を当該取付ベースの表面から浮上させた状態で取り付ける制御装置浮上取付部を設け、
該制御装置浮上取付部に上記１の制御装置を取り付けた状態で、上記１の制御装置と取付ベースとの間に、取付ベース上以外に取り付けた他の制御装置の電源入力部と電源供給装置の出力部との間を接続する配線ケーブルが通過し得る配線通過空間を形成し、
該配線通過空間内を通過する配線ケーブルを係止する配線係止部材を、上記１の制御装置により覆い隠される取付ベースの表面に設け、
上記配線係止部材は、上記取付ベースの表面に起立した基端部分から取付ベースの表面に沿わせた状態で途中部分を延出し、先端部分を取付ベースの表面側に近づけた形状に成形した弾性片から構成し、
上記制御装置浮上取付部は、上記取付ベースの表面からの高さを、上記配線係止部材の途中部分の取付ベース表面からの高さよりも低く設定し、
上記１の制御装置は、当該１の制御装置の一部を上記制御装置浮上取付部の先端に当接すると、当該１の制御装置の一部が配線係止部材の途中部分に当接し、上記配線係止部材の先端の開口寸法が減少するように構成したことを特徴とする遊技機である。
【０００７】
請求項２に記載のものは、上記１の制御装置は、上蓋部材と底蓋部材とを備え、該底蓋部材の外面に当該１の制御装置の一部としての導電性板材を添設したことを特徴とする請求項１に記載の遊技機である。
【０００８】
【発明の実施の形態】
以下、本発明の実施の形態を図面に基づいて説明する。
図１は代表的な遊技機であるパチンコ機１の正面図、図２はパチンコ機１の背面図、図３は電源供給装置２を設けた取付ベース３に遊技制御装置４を取り付ける状態を示す斜視図、図４及び図５は取付ベース３に遊技制御装置４を取り付けた状態の斜視図である。
【０００９】
パチンコ機１は、機枠５の前面開口部分に額縁状の前面枠６を開閉可能に取り付け、この前面枠６の開口部分を裏側から塞ぐようにして遊技盤７を取り付け、この遊技盤７の表面に、ガイドレール等の区画部材により区画して形成した遊技領域８内に、入賞具、始動口に入賞することを条件として図柄合わせ遊技等の別遊技を行う特別図柄表示装置９、別遊技で大当りになると開く大入賞口１０などを設けてある。また、前面枠６の裏側に裏機構盤１１を取り付け、この裏機構盤１１に球貯留タンク１２、球導出樋１３、球排出装置１４などを設けるとともに、各種の制御装置及び電源供給装置２を取り付ける。
【００１０】
本実施形態では、制御装置を機能別に分けてそれぞれ別個のケース（基板ボックス）に収納してユニット化し、遊技制御装置４、表示制御装置１５、装飾制御装置１６、音制御装置１７、排出制御装置１９、及び、発射制御装置２０とし、中継基盤や配線ケーブルを介して各制御装置を電気的に接続している。なお、これらの制御装置は、それぞれを独立した状態で取り付ける。
【００１１】
遊技制御装置４は、遊技領域８に配設された入賞具、始動口、特別図柄表示装置９（特図表示装置）、大入賞口１０などの電気部品を統括的に制御する制御装置である。また、表示制御装置１５は、遊技制御装置４からの指令信号に基づき可変表示による別遊技を行うための特図表示装置の画像表示を制御する制御装置である。装飾制御装置１６は、遊技制御装置４からの指令信号に基づきサイドランプ等の発光装飾部材の発光を制御する制御装置である。音制御装置１７は、遊技制御装置４からの指令信号に基づき効果音を生成する等、音に関する制御を行う制御装置である。排出制御装置１９は、遊技制御装置４からの指令信号に基づき上記した球排出装置１４を制御し、所定数の遊技球を排出させる制御装置である。発射制御装置２０は、発射操作部２１の回動量に応じて球発射装置２２を制御し、回動量に対応した強さで遊技球を発射させる制御装置である。
【００１２】
遊技制御装置４は、図４から図７に示すように、下部にヒンジ機構２３を、上部に閉状態保持用の係止具２８を有する上蓋部材２４と底蓋部材２５からなる遊技制御基板ケース２６の内部に遊技制御基板２７を収納し、この遊技制御基板２７のグランドラインと底蓋部材２５の外面に添設した金属プレート等の導電性板材２９とを導通させたもので、係止具２８側と一側（電源供給装置２側）に封止機構の一部として設けたかしめ部材３０をワンウエイネジで締着することにより封止することができ、遊技制御基板ケース２６の他側（電源供給装置２とは反対側）には、遊技制御基板ケース２６の外部に露出して他の制御装置等に接続するための配線接続領域３１を備え、この配線接続領域３１にはコネクタカバー３２を別途着脱可能に取り付けてある。
【００１３】
底蓋部材２５は、透明なプラスチック製の上面開放の浅い箱状体であり、無数の小孔を開設した底面部の四周（遊技制御基板２７を収納し得る大きさ）から低い側壁３３を立設するとともに、ヒンジ機構２３の一部を構成する軸受部、係止具２８の一部を構成する受片、かしめ部材３０の一部を構成する連結筒部などを一体成型し、底面部の内側に、遊技制御基板２７を支持する突起状の連通部３４を設けてある。
【００１４】
上蓋部材２４は、底蓋部材２５と同様に透明なプラスチック製の下面開放の箱状体であり、無数の小孔を開設した天井部（遊技制御基板２７の配線接続領域３１を除いた部分を収納し得る大きさ）の四周から側壁３５を垂設するとともに、ヒンジ機構２３の一部を構成する軸部、係止具２８の一部を構成する係止突部、かしめ部材３０の一部を構成する連結筒部などを一体成型し、また、電源供給装置２側の側壁３３の一部を内部側に後退させるとともに天井部の一部を内部側に落とし込んで凹状の操作空部３６を形成し、尚且つ操作空部３６の底部近傍に、後述する電源入力側コネクタを覆うコネクタ室３７を形成し、このコネクタ室３７の外側の側面に、電源供給用配線ケーブル４０及びコネクタ４０′を通す貫通部を開設してある。
【００１５】
なお、封止機構は、上蓋部材２４と底蓋部材２５とを一旦閉状態に止着して閉操作したならば、その後は開操作を受け付けず、かしめ部材３０の基端を切断するなどして、破損しない限り開くことができない機能を備えていればどのような構成でもよい。
【００１６】
遊技制御基板２７は、ＲＯＭ、ＲＡＭ、及びＣＰＵを１つのチップとして構成したワンチップマイクロコンピュータ（ワンチップマイコン）を始めとして他の電子部品４１が実装され、ワンチップマイコン内のＲＯＭに遊技制御プログラムが書換え不能に格納されており、一側に形成した配線接続領域３１に、遊技関連の入出力用コネクタ４２を取り付け、配線接続領域３１とは反対側で前記コネクタ室３７に対応する位置に電源入力部として機能する電源入力用コネクタ受部４３を配置してある。
【００１７】
なお、本実施形態では、遊技関連の入出力用コネクタ４２には、遊技制御基板２７に対して垂直方向に接続ピンを立設して外部接続配線ケーブル４４を遊技制御基板２７に垂直方向に接続する形式のコネクタを使用し、電源入力用コネクタ受部４３には、遊技関連の入出力用コネクタ４２とは異なる形式であって配線ケーブル４０の接続方向も異なるタイプ（横方向に接続するタイプ）のコネクタを使用する。
【００１８】
次に、電源供給装置２について説明する。
電源供給装置２は、図４から図６に示すように、長手方向の端部に閉状態保持手段としての係止具４５を有する上蓋部材４６と取付ベース３の一部を構成する底蓋部材４７からなる電源供給基板ケースの内部に電源供給基板５０を収納し、この電源供給基板５０に、交流を直流に変換したり、所定の電圧に変換するための各種電子部品５１を実装するとともに、出力部としてのコネクタ受部５２を遊技制御装置４側の側壁に近くなるように配設し、コネクタ受部４３とは反対側から電源入力用の配線ケーブル５３を延ばしてある。電源入力用の配線ケーブル５３は、当該パチンコ機１に設けた端子板５４等を介して、遊技機設置島内に設けたトランスに接続し、このトランスから電力（ＡＣ２４Ｖ）を受ける。なお、電源供給基板５０のコネクタ受部５２は、基本的な構成は遊技制御基板２７のコネクタ受部４３と同様であるが、取付方向を縦方向にしてある。
【００１９】
上蓋部材４６は、透明なプラスチック製の下面開放の箱状体であり、無数の小孔を開設した天井部の四周から側壁を垂設するとともに、短辺側から係止具４５の片半を構成する係止片を突設し、取付状態で遊技制御装置４に対向する側壁に、電源供給ケーブルを通す挿通開口部５５を形成する。本実施形態では、図６に示すように、挿通開口部５５を切欠状に形成してある。また、係止具４５の係止片は、底蓋部材４７の係止孔内に丁度遊嵌する片として形成し、ほぼ中央部分に、上蓋部材４６を十分に閉じると係止爪部が嵌合する係止孔を開設してある。
【００２０】
電源供給装置２の底蓋部材４７は、本実施形態では取付ベース３の一部として形成されている。
取付ベース３は、電源供給装置２と遊技制御装置４の殆どを載せられる大きさに一体成型した透明なプラスチック製の板状部材であり、電源供給装置２の底蓋部材４７として機能する部分をはじめとして底面部の外周縁に低い側壁６０を立設し、底蓋部材４７として機能する部分には、側壁６０の一部を外側に膨出することにより、係止具４５の一部を構成する細長い係止孔を開設し、この係止孔の内面に係止爪部（図示せず）を形成してある。したがって、この係止孔内に上蓋部材４６の係止爪部を挿入して十分に押圧すると、上蓋部材４６を取付ベース３に取り付けることができる。
【００２１】
また、図８に示すように、取付ベース３の遊技制御装置４を取り付ける領域であって電源供給装置２とは反対側に位置する側壁６０には、その一部を切り欠いて配線取り出し部６１を形成し、この配線取り出し部６１の内側近傍の底面部に、先端を上方に向けた第１配線係止部材６２ａを設け、この第１配線係止部材６２ａの下方であって電源供給装置２の底蓋部材４７となる部分の近傍、詳しくは電源供給装置２の出力部の側方に先端を下方に向けた第２配線係止部材６２ｂを設け、第２配線係止部材６２ｂの側方斜め上方であって第１配線係止部材６２ａの下方の側壁６０近くに先端を斜めに向けた第３配線係止部材６２ｃをそれぞれ設ける。
【００２２】
配線係止部材６２は、配線ケーブル４４等を係止する略鈎形の弾性材製の部材であり、図１０に示すように、本実施形態では取付ベース３と一体成型してあるので、取付ベース３の底部からほぼ垂直に起立した基端部分６３から延設した弾性片状の途中部分６４を上記底部の表面に沿わせて、その先端部分６５を一旦底面側に屈曲してから再度反対側に屈曲してある。そして、この配線係止部材６２の、取付ベース３の表面から上記途中部分６４の上面までの高さ、すなわち突出長さは、取付ベース３に取り付けた状態における遊技制御装置４が上記途中部分６４に当接して途中部分６４を押圧する寸法に設定する。
【００２３】
また、取付ベース３には、図７に示すように、遊技制御装置４を取付ベース３の表面から浮上させた状態で取り付ける制御装置浮上取付部６６を設け、この制御装置浮上取付部６６により遊技制御装置４を取り付けて当該遊技制御装置４と取付ベース３の表面との間に、配線ケーブル４４等が通過し得る配線通過空間６７を形成し得るように構成する。具体的に説明すると、本実施形態では、取付ベース３の表面、例えば右上隅部、右下隅部、及び左上隅部に、先端面に取付孔を有する円筒状の取付ボスを突設して制御装置浮上取付部６６として機能させており、取付ボスの突出高さ（取付ベース３の表面からの高さ）を、側壁６０の高さとほぼ同じであるが配線係止部材６２の途中部分６４の突出高さよりも低く設定してある。
【００２４】
そしてまた、図９に示すように、取付ベース３を裏機構盤１１に取り付けるために、遊技制御装置４と干渉しない右上隅部、右下隅部、及び左下隅部に、止着孔を有する取付ボス６９を突設し、裏機構盤１１との位置決めを容易にする位置決め凹部７０を、前記制御装置浮上取付部６６や取付ボスと干渉しない部位に形成してある。なお、この位置決め凹部７０は、裏機構盤１１に突設した位置決め突起７１の位置に対応して配置されている。
【００２５】
したがって、上記した構成からなる取付ベース３をパチンコ機１の背面（裏機構盤１１の表面）に取り付けるには、裏機構盤１１から突出した位置決め突起７１の先端を取付ベース３の裏面に開口している位置決め凹部７０内に嵌合するとともに、裏機構盤から突設した支柱７３の先端部分を取付ボス６９内に嵌合して所定の位置に合わせ、この状態で取付ベース３の取付ボス６９の止着孔内に予め挿入しておいた各止着具７２の操作部を押し込むだけで簡単に取り付けることができる。なお、本実施形態における止着具７２は、操作部から延びた軸の先端に太径部が形成されており、軸の外側に「く」字状の脚部７４が複数本備えられ、操作部を押し込むと太径部が脚部７４の先端部分を拡大することにより脚部７４の途中部分が拡大し、この拡大する力により止着孔から外れないように止着することができる構成である。
【００２６】
裏機構盤１１に取付ベース３を取り付けたならば、この取付ベース３の一側に電源供給装置２が予め取り付けられているので、この電源供給装置２の出力部と、遊技制御装置４以外の制御装置、例えば表示制御装置１５、装飾制御装置１６、音制御装置１７などの電源入力部とを電源用の配線ケーブル４４により接続する。
この場合、本実施形態では、電源供給装置２から各制御装置に接続する電源供給用の配線ケーブル４４の一端に設けたコネクタ７５ａを電源供給装置２の出力部にそれぞれ予め接続しておき、これらの配線ケーブル４４を束ねて取付ベース３の第３配線係止部材６２ｃに係止しておき、配線ケーブル４４が接続されていても、これらの配線ケーブルが作業の邪魔にならないようにしておくことができる。したがって、取付ベース３を裏機構盤１１に取り付ける際にも、電源供給装置２に予め接続しておいた配線ケーブル４４が側壁６０から突出して作業の邪魔になったり、配線ケーブル４４が裏機構盤１１と取付ベース３との間に挟まることなく、取付作業を円滑に行うことができる。
【００２７】
そして、取付ベース３を裏機構盤１１に取り付けた後に、第３配線係止部材６２ｃに係止されていた配線ケーブル４４を外してから引き延ばし、これら配線ケーブル４４の電源供給装置２に近い部分を取付ベース３の側壁６０で囲まれた配線通過空間６７内に通して先ず第２配線係止部材６２ｂに下方から係止し、この係止した部分から先の部分を第１配線係止部材６２ａに上方から係止し、残りの部分を切欠状の配線取り出し部６１から右斜め上方に向けて引き出し、配線ケーブル４４の他端に設けコネクタ７５ｂを各制御装置の電源入力部のコネクタ受部４３に接続する。
【００２８】
この様に、電源供給装置２の出力部に一端を接続した電源供給用の配線ケーブル４４を取付ベース３の配線通過空間６７内を通過させて第１，第２配線係止部材６２ａ，６２ｂに係止すると、配線状態を見た目にも体裁良くでき、また、配線ケーブル４４の途中が第１，第２配線係止部材６２ａ，６２ｂにより係止されているので、他の作業を行う際にも、これらの配線ケーブル４４が邪魔にならない。
【００２９】
遊技制御装置４を別送する場合には、この状態で工場から遊技店に搬送される。そして、遊技店に搬入され、別送された遊技制御装置４をパチンコ機１に取り付けるには、先ず、遊技制御装置４の導電性板材２９を取付ベース３の制御装置浮上取付部６６の先端に載せる（すなわち、当てがう）。この様にして、導電性板材２９を制御装置浮上取付部６６に載せると、導電性板材２９が取付ベース３の第１，第２配線係止部材６２ａ，６２ｂの途中部分６４に当接し、すべての制御装置浮上取付部６６に導電性板材２９が当たるまで押し付けると、図１０に示すように、弾性を有する第１，第２配線係止部材６２ａ，６２ｂの途中部分６４が取付ベース３側に押圧されて彎曲し、これにより先端の開口寸法が減少する。したがって、第１，第２配線係止部材６２ａ，６２ｂにより係止されている配線ケーブル４４が外れ難い状態となる。
【００３０】
この状態で、導電性板材２９の取付孔内に予め挿入しておいた止着具７６の先端部分を制御装置浮上取付部６６の取付孔内に挿入してから操作部を押し込むと、遊技制御装置４が取付ベース３に確実に取り付けられる。
【００３１】
この様にして取付ベース３の制御装置浮上取付部６６に遊技制御装置４を取り付けると、遊技制御装置４、詳しくは遊技制御装置４の一部を構成している導電性板材２９と取付ベース３の表面との間に、配線ケーブル４４が通過し得る上下寸法の配線通過空間６７が確実に形成されるので、この配線通過空間６７内を通過させた配線ケーブル４４が遊技制御装置４と取付ベース３との間に挟み付けられることもない。また、遊技制御装置４の電源入力部であるコネクタ受部４３と電源供給装置２の出力部であるコネクタ受部５２とが対向しているので、配線ケーブル４０を接続する作業も容易であり、配線ケーブル４０の長さも短くてよい。なお、遊技制御装置４の電源入力部と電源供給装置２の出力部とを接続する配線ケーブル４０は、遊技制御装置４を取付ベース３に取り付ける前に予め接続してもよいし、あるいは取り付けた後に接続してもよい。
【００３２】
また、遊技制御装置４を別送することなく遊技機メーカーの工場内で取り付ける場合も、前記と同様に、例えば表示制御装置１５、装飾制御装置１６、音制御装置１７などの電源入力部と電源供給装置２の出力部を接続した後に、遊技制御装置４を取付ベース３に取り付ける際にも、先に配線作業の終了した配線ケーブル４４が邪魔にならないので、作業効率を向上することができるし、配線ケーブル４４が挟まる不都合もない。
【００３３】
なお、前記実施形態では制御装置浮上取付部６６として円筒状の取付ボスを取付ベース３に設けた例を示したが、本発明の制御装置浮上取付部６６はこれに限らず、取付ベース３に取り付ける制御装置を、取付ベース３の表面から浮上させて当該制御装置と取付ベース３の表面との間に、配線ケーブル４４が通過し得る配線通過空間６７を形成できるものであればどのような構成でもよい。例えば、取付ベース３に段部を設けてもよい。また、取付ベース３に取り付ける制御装置側に制御装置浮上取付部６６を設けてもよい。
【００３４】
また、前記実施形態ではパチンコ機１を例に挙げて説明したが、本発明はこれに限定されるものではなく、例えばスロット式遊技機、アレンジボール式遊技機、雀球式遊技機などでもよい。
【００３５】
【発明の効果】
以上説明したように本発明によれば、以下の効果を奏する。
すなわち、制御装置を複数に分けて構成するとともに、これらの制御装置に電源を供給する電源供給装置を制御装置とは別個に構成し、上記電源供給装置は、取付ベースに配設され、該取付ベースに上記複数の制御装置のうち１の制御装置を、該１の制御装置の電源入力部と上記電源供給装置の出力部とが向かい合う状態で配置した遊技機において、上記取付ベースには、上記１の制御装置を取付ベースの表面から浮上させた状態で取り付ける制御装置浮上取付部を設け、この制御装置浮上取付部に上記１の制御装置を取り付けた状態で、当該１の制御装置と取付ベースとの間に、取付ベース上以外に取り付けた他の制御装置の電源入力部と電源供給装置の出力部との間を接続する配線ケーブルが通過し得る配線通過空間を形成したので、１の制御装置と電源供給装置とを接続する配線ケーブルの短縮化を図りながら、遊技機の背後から見える配線ケーブルを減少させることができて体裁を向上することができ、取付ベースに制御装置を取り付ける際に、上記配線ケーブルが配線通過空間内に整理されて配線作業の邪魔にならない。
【００３６】
そして、該配線通過空間内を通過する配線ケーブルを係止する配線係止部材を、上記１の制御装置により覆い隠される取付ベースの表面に設けたので、配線通過空間内に通した配線ケーブルを配線係止部材により確実に係止しておくことができる。したがって、これらの配線ケーブルが、取付ベース上に制御装置を取り付ける際に挟まるトラブルを未然に防止することができる。このため、遊技制御装置を遊技機本体とは別個に搬送して遊技店で遊技機本体に取り付ける場合に、遊技制御装置の取付配線作業を能率良く行なうことが出来る。
【００３７】
さらに、上記配線係止部材は、上記取付ベースの表面に起立した基端部分から取付ベースの表面に沿わせた状態で途中部分を延出し、先端部分を取付ベースの表面側に近づけた形状に成形した弾性片から構成し、上記制御装置浮上取付部は、上記取付ベースの表面からの高さを、上記配線係止部材の途中部分の取付ベース表面からの高さよりも低く設定し、上記１の制御装置は、当該１の制御装置の一部を上記制御装置浮上取付部の先端に当接すると、当該１の制御装置の一部が配線係止部材の途中部分に当接し、上記配線係止部材の先端の開口寸法が減少するように構成したので、配線係止部材に係止した配線ケーブルが一層外れ難くなる。
【図面の簡単な説明】
【図１】パチンコ機の正面図である。
【図２】パチンコ機の背面図である。
【図３】裏機構盤に取り付ける前における取付ベースおよび遊技制御装置の斜視図である。
【図４】取付ベースに電源供給装置及び遊技制御装置を取り付けた状態の斜視図である。
【図５】取付ベースに電源供給装置及び遊技制御装置を取り付けた状態の斜視図である。
【図６】上蓋部材と底蓋部材を開いた状態の遊技制御装置及び電源供給装置の斜視図である。
【図７】遊技制御装置の取付状態を示す遊技制御装置の断面図である。
【図８】制御装置を取り付ける前における取付ベースの斜視図である。
【図９】取付ベースの裏面図である。
【図１０】遊技制御装置により配線係止部材の途中部分を押圧した状態を示す断面図である。
【図１１】取付ベースと裏機構盤との取付状態を示す断面図である。
【符号の説明】
１  パチンコ機
２  電源供給装置
３  取付ベース
４  遊技制御装置
５  機枠
６  前面枠
７  遊技盤
８  遊技領域
９  特別図柄表示装置
１０  大入賞口
１１  裏機構盤
１２  球貯留タンク
１３  球導出樋
１４  球排出装置
１５  表示制御装置
１６  装飾制御装置
１７  音制御装置
１９  排出制御装置
２０  発射制御装置
２１  発射操作部
２２  球発射装置
２３  ヒンジ機構
２４  上蓋部材
２５  底蓋部材
２６  遊技制御基板ケース
２７  遊技制御基板
２８  係止具
２９  導電性板材
３０  かしめ部材
３１  配線接続領域
３２  コネクタカバー
３３  側壁
３４  連通部
３５  側壁
３６  操作空部
３７  コネクタ室
４０  遊技制御装置用の配線ケーブル
４１  電子部品
４２  入出力用コネクタ
４３  電源入力用コネクタ受部
４４  配線ケーブル
４５  係止具
４６  上蓋部材
４７  底蓋部材
５０  電源供給基板
５１  電子部品
５２  コネクタ受部
５３  配線ケーブル
５４  端子板
５５  挿通開口部
６０  取付ベースの側壁
６１  配線取り出し部
６２  配線係止部材
６３  配線係止部材の基端部分
６４  配線係止部材の途中部分
６５  配線係止部材の先端部分
６６  制御装置浮上取付部
６７  配線通過空間
６９  取付ボス
７０  位置決め凹部
７１  位置決め突起
７２  止着具
７３  支柱
７４  止着具の脚部
７５  コネクタ
７６  止着具